(57)【要約】【課題】迅速な障害復旧を行う。【解決手段】複数の光伝送装置を含む光ネットワークシステムにおける各光伝送装置は、光伝送装置毎に異なる波長の監視信号を主信号に重畳して送信する。そして、各光伝送装置は、他の光伝送装置から受信した主信号から監視信号を抽出する。そして、光ネットワークシステムは、抽出された各波長の監視信号から、各光伝送装置間の伝送区間のうち、通信障害が発生している障害発生区間を判定する。【選択図】図６Ａ
2017005384.tif 000002
【特許請求の範囲】
【請求項１】
複数の光伝送装置を含む光ネットワークシステムであって、
各光伝送装置は、
前記光伝送装置毎に異なる波長の監視信号を主信号に重畳して送信する送信部と、
他の前記光伝送装置から受信した主信号から前記監視信号を抽出する抽出部と
を備え、
前記抽出部により抽出された各波長の前記監視信号から、各光伝送装置間の伝送区間のうち、通信障害が発生している障害発生区間を判定する
ことを特徴とする光ネットワークシステム。
【請求項２】
各波長の前記監視信号の有無と前記障害発生区間とを対応付けたマトリックスを保持する保持部と、
各光伝送装置の前記抽出部により抽出された各波長の前記監視信号の有無をもとに前記マトリックスを参照し、前記障害発生区間を判定する判定部と
を備える監視装置
をさらに含むことを特徴とする請求項１に記載の光ネットワークシステム。
【請求項３】
各光伝送装置は、
各波長の前記監視信号の有無と前記障害発生区間とを対応付けたマトリックスを保持する保持部と、
前記抽出部により抽出された各波長の前記監視信号の有無をもとに前記マトリックスを参照し、前記障害発生区間を判定する第１の判定部と
をさらに備え、
各光伝送装置の前記第１の判定部による前記障害発生区間の判定結果から、前記障害発生区間を判定する第２の検出部を備える監視装置
をさらに含むことを特徴とする請求項１に記載の光ネットワークシステム。
【請求項４】
前記複数の光伝送装置のうちの少なくとも１つは、
検出された前記障害発生区間に含まれる中継装置に対して該中継装置の状態を取得する状態取得信号を送信する状態取得信号送信部をさらに備え、
前記状態取得信号に応じて取得した前記中継装置の状態から、前記通信障害が該中継装置において発生しているか否かを判定する
ことを特徴とする請求項１、２又は３に記載の光ネットワークシステム。
【請求項５】
前記光ネットワークシステムは、フィッシュボーン型であることを特徴とする請求項１〜４のいずれか１つに記載の光ネットワークシステム。
【請求項６】
光ネットワークシステムにおいて自身の光伝送装置と一意に対応する波長の監視信号を主信号に重畳して送信する第１の送信部と、
他の光伝送装置から受信した主信号から前記監視信号を抽出する抽出部と、
前記抽出部により抽出された各波長の前記監視信号の受信状況を監視装置へ送信する第２の送信部と、
前記監視装置からの、前記監視装置によって前記受信状況から判定された、各光伝送装置間の伝送区間のうちの通信障害が発生している障害発生区間に含まれる機器に対する状態取得の指示に応じて、前記機器に対して状態取得信号を送信する第３の送信部と、
前記機器から、前記状態取得信号に対する該機器の状態応答を受信する第２の受信部と
備えることを特徴とする光伝送装置。
【請求項７】
複数の光伝送装置を含む光ネットワークシステムにおける検出方法であって、
各光伝送装置が、
前記光伝送装置毎に異なる波長の監視信号を主信号に重畳して送信し、
他の前記光伝送装置から受信した主信号から前記監視信号を抽出する
処理を実行し、
前記抽出された各波長の前記監視信号から、各光伝送装置間の伝送区間のうち、通信障害が発生している障害発生区間を判定する
ことを特徴とする検出方法。
【発明の詳細な説明】
【技術分野】
【０００１】
本発明は、光ネットワークシステム、光伝送装置及び検出方法に関する。
【背景技術】
【０００２】
光ネットワークシステムにおいて、通信障害が発生した箇所を特定するために、光伝送装置から伝送路における各中継装置１つ１つに対して順次コマンドを送信し、応答の有無によって、通信障害が発生した中継装置又は伝送区間を特定する。
【先行技術文献】
【特許文献】
【０００３】
【特許文献１】特開２００３−０３２１９２号公報
【特許文献２】特開２００２−２８０９７８号公報
【発明の概要】
【発明が解決しようとする課題】
【０００４】
しかしながら、上記の技術では、次の問題がある。すなわち、光ネットワークシステムが、例えば光波長多重通信かつ海底ケーブルを含む大容量かつ大規模なネットワークである場合、各中継装置１つ１つに対して応答の有無を確認する方法では、通信障害が発生した中継装置又は伝送区間の特定に時間がかかる。このため、迅速な障害復旧が要請される大容量かつ大規模なネットワークにおいて、通信障害の長時間化を招くことになり、社会的影響が大きい。
【０００５】
１つの側面としては、迅速な障害復旧を行うことを目的とする。
【課題を解決するための手段】
【０００６】
１つの態様では、複数の光伝送装置を含む光ネットワークシステムにおいて、各光伝送装置は、光伝送装置毎に異なる波長の監視信号を主信号に重畳して送信する。そして、各光伝送装置は、他の光伝送装置から受信した主信号から監視信号を抽出する。そして、光ネットワークシステムは、抽出された各波長の監視信号から、各光伝送装置間の伝送区間のうち、通信障害が発生している障害発生区間を判定する。
【発明の効果】
【０００７】
１つの側面として、迅速な障害復旧を行うことができる。
【図面の簡単な説明】
【０００８】
【図１Ａ】図１Ａは、実施例に係る光伝送システムの一例を示すブロック図である。
【図１Ｂ】図１Ｂは、実施例に係る光伝送システムの一例を示すブロック図である。
【図２】図２は、実施例に係る局装置の一例を示すブロック図である。
【図３】図３は、実施例に係るＮＯＣ装置の一例を示すブロック図である。
【図４Ａ】図４Ａは、実施例に係る局装置Ａマトリックスの一例を示す図である。
【図４Ｂ】図４Ｂは、実施例に係る局装置Ｂマトリックスの一例を示す図である。
【図４Ｃ】図４Ｃは、実施例に係る局装置Ｃマトリックスの一例を示す図である。
【図４Ｄ】図４Ｄは、実施例に係る局装置Ｄマトリックスの一例を示す図である。
【図４Ｅ】図４Ｅは、実施例に係る局装置Ｅマトリックスの一例を示す図である。
【図５】図５は、実施例に係る中継装置の一例を示すブロック図である。
【図６Ａ】図６Ａは、実施例に係る監視処理の一例を示すシーケンス図（その１）である。
【図６Ｂ】図６Ｂは、実施例に係る監視処理の一例を示すシーケンス図（その２）である。
【図７Ａ】図７Ａは、実施例に係る障害発生区間判定処理の概要の一例（その１）を示す図である。
【図７Ｂ】図７Ｂは、実施例に係る障害発生区間判定処理の概要の一例（その２）を示す図である。
【図８】図８は、実施例に係る障害発生箇所検出処理の概要の一例を示す図である。
【図９】図９は、実施例の適用例を示す図である。
【発明を実施するための形態】
【０００９】
以下に添付図面を参照して実施例に係る光ネットワークシステム、光伝送装置及び検出方法について説明する。なお、以下の実施例の説明では、開示技術と関連する構成のみ説明し、その他の構成の説明を省略する。また、以下の実施例の説明では、重複する同一又は類似の構成もしくは処理について説明を省略する。また、以下の実施例は開示の技術を限定するものではない。また、実施例及びその他の実施例は、矛盾しない範囲で適宜組み合わせてもよい。
【００１０】
［実施例］
（光伝送システムについて）
図１Ａ及び図１Ｂは、実施例に係る光伝送システムの一例を示すブロック図である。実施例に係る光ネットワークシステム１は、例えば、陸上に位置する局装置間を光海底ケーブルにより接続する、フィッシュボーン型の光海底ケーブル通信システムである。図１Ａに示すように、光ネットワークシステム１は、陸上局である局装置１０Ａ〜１０Ｅ、ＮＯＣ（Network  Operation  Center）装置２０を含む。局装置１０Ａ及び１０Ｅは、光海底ケーブルであるトランクライン２により接続される。
【００１１】
トランクライン２上には、ＢＵ（Blanching  Unit、分波装置）３０Ｂ〜３０Ｄが配置される。ＢＵ３０Ｂは、トランクライン２から陸揚げケーブルであるブランチライン３Ｂを分岐させ、トランクライン２と、陸上局である局装置１０Ｂとを接続するAdd／Drop装置である。ＢＵ３０Ｂは、トランクライン２上を伝送する主信号から局装置１０Ｂ宛の光信号をDropし、Dropした光信号をフィルタで除去後、局装置１０ＢからAddされる光信号を主信号へ合波する。
【００１２】
同様に、ＢＵ３０Ｃは、トランクライン２から陸揚げケーブルであるブランチライン３Ｃを分岐させ、トランクライン２と、陸上局である局装置１０Ｃとを接続するAdd／Drop装置である。ＢＵ３０Ｃは、トランクライン２上を伝送する主信号から局装置１０Ｃ宛の光信号をDropし、Dropした光信号をフィルタで除去後、局装置１０ＣからAddされる光信号を主信号へ合波する。
【００１３】
また、ＢＵ３０Ｄは、トランクライン２から陸揚げケーブルであるブランチライン３Ｄを分岐させ、トランクライン２と、陸上局である局装置１０Ｄとを接続するAdd／Drop装置である。ＢＵ３０Ｄは、トランクライン２上を伝送する主信号から局装置１０Ｄ宛の光信号をDropし、Dropした光信号をフィルタで除去後、局装置１０ＤからAddされる光信号を主信号へ合波する。
【００１４】
また、トランクライン２上には、中継装置４０Ａ〜４０Ｄが配置される。中継装置４０Ａは、局装置１０Ａと、ＢＵ３０Ｂとの間に位置し、トランクライン２上を伝送する主信号を増幅して中継するリピータである。同様に、中継装置４０Ｂは、ＢＵ３０Ｂと、ＢＵ３０Ｃとの間に位置し、トランクライン２上を伝送する主信号を増幅して中継するリピータである。また、中継装置４０Ｃは、ＢＵ３０Ｃと、ＢＵ３０Ｄとの間に位置し、トランクライン２上を伝送する主信号を増幅して中継するリピータである。また、中継装置４０Ｄは、ＢＵ３０Ｄと、局装置１０Ｅとの間に位置し、トランクライン２上を伝送する主信号を増幅して中継するリピータである。
【００１５】
また、図示は省略しているが、トランクライン２上には、信号劣化を補償するＧＥＱ（Gain  Equalizer、利得等化器）が適宜配置される。
【００１６】
ＮＯＣ装置２０は、局装置１０Ａ〜１０Ｅを制御、管理する。ＮＯＣ装置２０は、局装置１０Ａ〜１０Ｅそれぞれと、トランクライン２及びブランチライン３Ｂ〜３Ｄとは異なる、有線もしくは無線の通信回線により接続される。
【００１７】
なお、局装置１０Ａ〜１０Ｅを総称して局装置１０と呼ぶ。また、ＢＵ３０Ｂ〜３０Ｄを総称してＢＵ３０と呼ぶ。また、中継装置４０Ａ〜４０Ｄを総称して中継装置４０と呼ぶ。また、ブランチライン３Ｂ〜３Ｄを総称してブランチライン３と呼ぶ。
【００１８】
図１Ａに示すように、局装置１０ＡからＢＵ３０Ｂへ主信号が向かうトランクライン２の区間、及び、ＢＵ３０Ｂから局装置１０Ａへ主信号が向かうトランクライン２の区間の双方向の区間を区間１と呼ぶ。また、ＢＵ３０ＢからＢＵ３０Ｃへ主信号が向かうトランクライン２の区間、及び、ＢＵ３０ＣからＢＵ３０Ｂへ主信号が向かうトランクライン２の区間の双方向の区間を区間２と呼ぶ。
【００１９】
また、ＢＵ３０ＣからＢＵ３０Ｄへ主信号が向かうトランクライン２の区間、及び、ＢＵ３０ＤからＢＵ３０Ｃへ主信号が向かうトランクライン２の区間の双方向の区間を区間３と呼ぶ。また、ＢＵ３０Ｄから局装置１０Ｅへ主信号が向かうトランクライン２の区間、及び、局装置１０ＥからＢＵ３０Ｄへ主信号が向かうトランクライン２の区間の双方向の区間を区間４と呼ぶ。
【００２０】
また、図１Ａに示すように、トランクライン２上を局装置１０Ａから局装置１０Ｅへ向かう主信号がＢＵ３０ＢによりDropされて局装置１０Ｂへ至るブランチライン３Ｂの区間を区間５と呼ぶ。さらに、区間５は、ＢＵ３０Ｂにより、トランクライン２上を局装置１０Ｅから局装置１０Ａへ向かう主信号へ局装置１０Ｂからの信号がAddされる局装置１０ＢからＢＵ３０Ｂへ至るブランチライン３Ｂの区間を含む。
【００２１】
同様に、トランクライン２上を局装置１０Ｅから局装置１０Ａへ向かう主信号がＢＵ３０ＢによりDropされて局装置１０Ｂへ至るブランチライン３Ｂの区間を区間６と呼ぶ。さらに、区間６は、ＢＵ３０Ｂにより、トランクライン２上を局装置１０Ａから局装置１０Ｅへ向かう主信号へ局装置１０Ｂからの信号がAddされる局装置１０ＢからＢＵ３０Ｂへ至るブランチライン３Ｂの区間を含む。
【００２２】
また、トランクライン２上を局装置１０Ａから局装置１０Ｅへ向かう主信号がＢＵ３０ＣによりDropされて局装置１０Ｃへ至るブランチライン３Ｃの区間を区間７と呼ぶ。さらに、区間７は、ＢＵ３０Ｃにより、トランクライン２上を局装置１０Ｅから局装置１０Ａへ向かう主信号へ局装置１０Ｃからの信号がAddされる局装置１０ＣからＢＵ３０Ｃへ至るブランチライン３Ｃの区間を含む。
【００２３】
また、トランクライン２上を局装置１０Ｅから局装置１０Ａへ向かう主信号がＢＵ３０ＣによりDropされて局装置１０Ｃへ至るブランチライン３Ｃの区間を区間８と呼ぶ。さらに、区間８は、ＢＵ３０Ｃにより、トランクライン２上を局装置１０Ａから局装置１０Ｅへ向かう主信号へ局装置１０Ｃからの信号がAddされる局装置１０ＣからＢＵ３０Ｃへ至るブランチライン３Ｃの区間を含む。
【００２４】
また、トランクライン２上を局装置１０Ａから局装置１０Ｅへ向かう主信号がＢＵ３０ＤによりDropされて局装置１０Ｄへ至るブランチライン３Ｄの区間を区間９と呼ぶ。さらに、区間９は、ＢＵ３０Ｄにより、トランクライン２上を局装置１０Ｅから局装置１０Ａへ向かう主信号へ局装置１０Ｄからの信号がAddされる局装置１０ＤからＢＵ３０Ｄへ至るブランチライン３Ｄの区間を含む。
【００２５】
また、トランクライン２上を局装置１０Ｅから局装置１０Ａへ向かう主信号がＢＵ３０ＤによりDropされて局装置１０Ｄへ至るブランチライン３Ｄの区間を区間１０と呼ぶ。さらに、区間１０は、ＢＵ３０Ｄにより、トランクライン２上を局装置１０Ａから局装置１０Ｅへ向かう主信号へ局装置１０Ｄからの信号がAddされる局装置１０ＤからＢＵ３０Ｄへ至るブランチライン３Ｄの区間を含む。
【００２６】
また、図１Ｂに示すように、局装置１０Ａは、ＴＲＩＢ（Tributary）（λ１）１３Ａ−１〜ＴＲＩＢ（λ７）１３Ａ−７、ＷＤＭ（Wavelength  Division  Multiplexer）１３Ａを有する。ＴＲＩＢ（λ１）１３Ａ−１〜ＴＲＩＢ（λ７）１３Ａ−７は、波長λ１〜λ７の光信号をそれぞれ生成する。ＷＤＭ１３Ａは、ＴＲＩＢ（λ１）１３Ａ−１〜ＴＲＩＢ（λ７）１３Ａ−７により生成された光信号を合波して主信号を生成し、トランクライン２へ送出する。
【００２７】
同様に、局装置１０Ｂは、ＴＲＩＢ（λ１）１３Ｂ−１〜ＴＲＩＢ（λ２）１３Ｂ−２、ＷＤＭ１３Ｂを有する。ＴＲＩＢ（λ１）１３Ｂ−１〜ＴＲＩＢ（λ２）１３Ｂ−２は、波長λ１〜λ２の光信号をそれぞれ生成する。ＷＤＭ１３Ｂは、ＴＲＩＢ（λ１）１３Ｂ−１〜ＴＲＩＢ（λ２）１３Ｂ−２により生成された光信号を合波して主信号を生成し、ブランチライン３Ｂへ送出する。
【００２８】
また、局装置１０Ｃは、ＴＲＩＢ（λ３）１３Ｃ−３〜ＴＲＩＢ（λ５）１３Ｃ−５、ＷＤＭ１３Ｃを有する。ＴＲＩＢ（λ３）１３Ｃ−３〜ＴＲＩＢ（λ５）１３Ｃ−５は、波長λ３〜λ５の光信号をそれぞれ生成する。ＷＤＭ１３Ｃは、ＴＲＩＢ（λ３）１３Ｃ−３〜ＴＲＩＢ（λ５）１３Ｃ−５により生成された光信号を合波して主信号を生成し、ブランチライン３Ｃへ送出する。
【００２９】
また、局装置１０Ｄは、ＴＲＩＢ（λ６）１３Ｄ−６、ＷＤＭ１３Ｄを有する。ＴＲＩＢ（λ６）１３Ｄ−６は、波長λ６の光信号を生成する。ＷＤＭ１３Ｄは、ＴＲＩＢ（λ６）１３Ｄ−６により生成された光信号から主信号を生成し、ブランチライン３Ｄへ送出する。
【００３０】
また、局装置１０Ｅは、ＴＲＩＢ（λ１）１３Ｅ−１〜ＴＲＩＢ（λ７）１３Ｅ−７、ＷＤＭ１３Ｅを有する。ＴＲＩＢ（λ１）１３Ｅ−１〜ＴＲＩＢ（λ７）１３Ｅ−７は、波長λ１〜λ７の光信号をそれぞれ生成する。ＷＤＭ１３Ｅは、ＴＲＩＢ（λ１）１３Ｅ−１〜ＴＲＩＢ（λ７）１３Ｅ−７により生成された光信号を合波して主信号を生成し、トランクライン２へ送出する。
【００３１】
すなわち、図１Ｂに示す例では、局装置１０Ａ及び１０Ｅは、波長λ１〜λ７の信号を送受信する。また、局装置１０Ａ及び１０Ｂと、局装置１０Ｂ及び１０Ｅとは、波長λ１〜λ２の信号を送受信する。また、局装置１０Ａ及び１０Ｃと、局装置１０Ｃ及び１０Ｅとは、波長λ３〜λ５の信号を送受信する。また、局装置１０Ａ及び１０Ｄと、局装置１０Ｄ及び１０Ｅとは、波長λ６の信号を送受信する。
【００３２】
なお、図１Ａ及び図１Ｂに示す光ネットワークシステム１における局装置１０Ａ〜１０Ｅ、ＢＵ３０Ｂ〜３０Ｄ、中継装置４０Ａ〜４０Ｄの数は、一例を示すに過ぎない。すなわち、光ネットワークシステム１が含む、局装置、ＢＵ、中継装置の数は、適宜変更可能である。
【００３３】
（局装置について）
図２は、実施例に係る局装置の一例を示すブロック図である。局装置１０は、ＮＯＣ装置２０と接続される。局装置１０は、監視部１１、終端装置１２を含む。
【００３４】
なお、監視部１１は、例えばＳＳＥ（System  Surveillance  Equipment）である。また、終端装置１２は、ＳＬＴＥ（Submarine  Line  Terminal  Equipment）である。また、バックホールは、例えば、陸上に敷設された光通信網等である。
【００３５】
終端装置１２は、ＷＤＭ１３、監視処理部１４を含む。ＷＤＭ１３は、バックホールからの光信号を多重した主信号を監視処理部１４へ出力する。また、ＷＤＭ１３は、監視処理部１４からの主信号を各光信号へ分離してバックホールへ送出する。
【００３６】
監視処理部１４は、監視部１１を介したＮＯＣ装置２０からの指示により、ＷＤＭ１３からの主信号へ、局装置１０毎に異なる周波数ｆｘ（ｘ＝Ａ、Ｂ、・・・、Ｅ）の監視信号を重畳し、トランクライン２（図１Ａ及び図１Ｂ参照）へ送出する。例えば、局装置１０Ａ、１０Ｂ、・・・１０Ｅの各監視処理部１４は、トランクライン２へ送出する主信号へ、周波数ｆＡ、ｆＢ、・・・、ｆＥの監視信号をそれぞれ重畳する。例えば、監視処理部１４は、監視部１１からの情報をアッテネータ等を用いて主信号を揺らすことにより強度変調し、監視信号を主信号へ重畳する。
【００３７】
また、監視処理部１４は、トランクライン２から受信した信号から各周波数の監視信号を抽出する。そして、監視処理部１４は、抽出した各周波数の監視信号の情報を、監視部１１を介してＮＯＣ装置２０へ送信する。
【００３８】
また、監視処理部１４は、監視部１１を介したＮＯＣ装置２０からの指示により、トランクライン２へ送出する主信号へ、全ての局装置１０で同一の周波数ｆのコマンド信号を重畳する。コマンド信号は、中継装置４０Ａ〜４０Ｄの各状態を監視するための信号である。監視処理部１４は、中継装置４０Ａ〜４０Ｄのいずれか１つを宛先に指定したコマンド信号を重畳した主信号をトランクライン２へ送出する。
【００３９】
また、監視処理部１４は、トランクライン２から受信した信号から、コマンド信号に対する応答信号を抽出してデコードする。そして、監視処理部１４は、デコードした応答信号が含む情報を、監視部１１へ出力する。応答信号は、コマンド信号の宛先である中継装置４０の状態、例えば中継装置４０内の電圧、温度等の各種パラメータを含む。監視部１１は、応答信号に含まれる各種パラメータから中継装置４０又は中継装置４０間における障害発生の有無を判定する。そして、監視部１１は、障害発生と判定した中継装置４０又は中継装置４０間における障害発生の有無に関する障害情報を、ＮＯＣ装置２０へ通知する。
【００４０】
（ＮＯＣ装置について）
図３は、実施例に係るＮＯＣ装置の一例を示すブロック図である。実施例に係るＮＯＣ装置２０は、記憶部２１、区間監視部２２、検出部２３、中継装置監視部２４を含む。
【００４１】
図３に示すように、記憶部２１は、局装置Ａマトリックス２１ａ、局装置Ｂマトリックス２１ｂ、・・・、局装置Ｅマトリックス２１ｅを含む。
【００４２】
図４Ａは、実施例に係る局装置Ａマトリックスの一例を示す図である。局装置Ａマトリックス２１ａは、ＮＯＣ装置２０が、局装置１０Ａ（図１Ａ及び図１Ｂ参照）による局装置１０Ｂ〜１０Ｅからの各監視信号の受信状況に応じて、障害発生区間がいずれの区間であるかを判定するためのテーブルである。
【００４３】
例えば、ＮＯＣ装置２０は、局装置１０Ａが、周波数ｆＢの監視信号、周波数ｆＣの監視信号、周波数ｆＤの監視信号、周波数ｆＤの監視信号のいずれも受信できなかった場合、区間１（図１Ａ及び図１Ｂ参照）において障害が発生したと判定する。つまり、図４Ａにおいて、局装置Ｂ（ｆＢ）、局装置Ｃ（ｆＣ）、局装置Ｄ（ｆＤ）、局装置Ｅ（ｆＥ）に該当するいずれの行にも×が格納されている列に該当する区間１が、障害が発生した区間であると判定する。区間２、区間３、区間４、区間５、区間７、区間９についても同様である。
【００４４】
また、図４Ｂは、実施例に係る局装置Ｂマトリックスの一例を示す図である。局装置Ｂマトリックス２１ｂは、ＮＯＣ装置２０が、局装置１０Ｂ（図１Ａ及び図１Ｂ参照）による局装置１０Ａ、１０Ｃ〜１０Ｅからの各監視信号の受信状況に応じて、障害発生区間がいずれの区間であるかを判定するためのテーブルである。
【００４５】
例えば、ＮＯＣ装置２０は、局装置１０Ｂが、周波数ｆＡの監視信号を受信できず、周波数ｆＣの監視信号、周波数ｆＤの監視信号、周波数ｆＥの監視信号を受信した場合、区間１において障害が発生したと判定する。つまり、図４Ｂにおいて、局装置Ａ（ｆＡ）に該当する行に×が格納され、局装置Ｃ（ｆＣ）、局装置Ｄ（ｆＤ）、局装置Ｅ（ｆＥ）に該当する行に○が格納されている列に該当する区間１が、障害が発生した区間であると判定する。区間２、区間３、区間４、区間５、区間６、区間７、区間９についても同様である。
【００４６】
また、図４Ｃは、実施例に係る局装置Ｃマトリックスの一例を示す図である。局装置Ｃマトリックス２１ｃは、ＮＯＣ装置２０が、局装置１０Ｃ（図１Ａ及び図１Ｂ参照）による局装置１０Ａ〜１０Ｂ、１０Ｄ〜１０Ｅからの各監視信号の受信状況に応じて、障害発生区間がいずれの区間であるかを判定するためのテーブルである。
【００４７】
例えば、ＮＯＣ装置２０は、局装置１０Ｃが、周波数ｆＡの監視信号を受信できず、周波数ｆＢの監視信号、周波数ｆＤの監視信号、周波数ｆＥの監視信号を受信した場合、区間１において障害が発生したと判定する。つまり、図４Ｃにおいて、局装置Ａ（ｆＡ）に該当する行に×が格納され、局装置Ｂ（ｆＢ）、局装置Ｄ（ｆＤ）、局装置Ｅ（ｆＥ）に該当する行に○が格納されている列に該当する区間１が、障害が発生した区間であると判定する。区間２、区間３、区間４、区間６、区間７、区間８、区間９についても同様である。
【００４８】
また、図４Ｄは、実施例に係る局装置Ｄマトリックスの一例を示す図である。局装置Ｄマトリックス２１ｄは、ＮＯＣ装置２０が、局装置１０Ｄ（図１Ａ及び図１Ｂ参照）による局装置１０Ａ〜１０Ｃ、１０Ｅからの各監視信号の受信状況に応じて、障害発生区間がいずれの区間であるかを判定するためのテーブルである。
【００４９】
例えば、ＮＯＣ装置２０は、局装置１０Ｄが、周波数ｆＡの監視信号を受信できず、周波数ｆＢの監視信号、周波数ｆＣの監視信号、周波数ｆＥの監視信号を受信した場合、区間１において障害が発生したと判定する。つまり、図４Ｄにおいて、局装置Ａ（ｆＡ）に該当する行に×が格納され、局装置Ｂ（ｆＢ）、局装置Ｃ（ｆＣ）、局装置Ｅ（ｆＥ）に該当する行に○が格納されている列に該当する区間１が、障害が発生した区間であると判定する。区間２、区間３、区間４、区間６、区間８、区間９、区間１０についても同様である。
【００５０】
また、図４Ｅは、実施例に係る局装置Ｅマトリックスの一例を示す図である。局装置Ｅマトリックス２１ｅは、ＮＯＣ装置２０が、局装置１０Ｅ（図１Ａ及び図１Ｂ参照）による局装置１０Ａ〜１０Ｄからの各監視信号の受信状況に応じて、障害発生区間がいずれの区間であるかを判定するためのテーブルである。
【００５１】
例えば、ＮＯＣ装置２０は、局装置１０Ｅが、周波数ｆＡの監視信号を受信できず、周波数ｆＢの監視信号、周波数ｆＣの監視信号、周波数ｆＤの監視信号を受信した場合、区間１において障害が発生したと判定する。つまり、図４Ｅにおいて、局装置Ａ（ｆＡ）に該当する行に×が格納され、局装置Ｂ（ｆＢ）、局装置Ｃ（ｆＣ）、局装置Ｄ（ｆＤ）に該当する行に○が格納されている列に該当する区間１が、障害が発生した区間であると判定する。区間２、区間３、区間４、区間６、区間８、区間１０についても同様である。
【００５２】
区間監視部２２は、局装置１０Ａ〜１０Ｅの各監視部１１に対して、終端装置１２がトランクライン２へ送出する主信号へ、局装置１０Ａ〜１０Ｅ毎に異なる周波数ｆｘ（ｘ＝Ａ、Ｂ、・・・、Ｅ）の監視信号を重畳するように指示する。また、区間監視部２２は、局装置１０Ａ〜１０Ｅの各監視部１１から受信した各監視信号の受信状況を、検出部２３へ出力する。
【００５３】
検出部２３は、区間監視部２２から出力された、局装置１０Ａ〜１０Ｅの各監視部１１から受信した各監視信号の受信状況をもとに、局装置Ａマトリックス２１ａ〜局装置Ｅマトリックス２１ｅそれぞれを参照する。そして、検出部２３は、局装置Ａマトリックス２１ａ〜局装置Ｅマトリックス２１ｅそれぞれを参照した結果を総合して、区間１〜区間１０のいずれの区間で障害が発生したかを判定することにより、障害発生区間を検出する。そして、検出部２３は、障害発生区間の検出結果を中継装置監視部２４へ出力する。
【００５４】
中継装置監視部２４は、検出部２３から出力された障害発生区間の検出結果をもとに、該当区間に最も近い局装置１０に対し、該当区間に含まれる中継装置４０へ、該当局装置１０に近い順序でコマンド信号を順次送信するように指示する。そして、中継装置監視部２４は、該当区間の中継装置４０からの応答信号を受信した局装置１０により障害発生と判定された中継装置４０、又は、障害発生と推定された中継装置４０間のＧＥＱ、ケーブル等に関する障害情報を、この局装置１０から受信する。そして、中継装置監視部２４は、局装置１０から受信した障害情報を、出力部２０ａから出力する。
【００５５】
例えば、障害発生を検出すると、トランクライン２（図１Ａ及び図１Ｂ）のいずれで（例えばケーブル、中継装置、ＧＥＱ、ＢＵ）障害が発生しているのかを切り分けるために、先ず、障害発生区間に最も近い局装置１０によって中継装置４０の状態確認を行う。状態確認は、局装置１０から最も近い中継装置から順に行う。中継装置４０の状態が問題なければ、局装置１０とこの中継装置４０間では回線断は発生していないと判定できる。局装置１０は、中継装置４０の状態確認ができなかった場合、状態確認ができた中継装置４０と状態確認ができなかった中継装置４０との間で回線断が発生していると判定できる。
【００５６】
例えば、中継装置監視部２４は、検出部２３から区間１が障害発生区間であると出力された場合、区間１に最も近い局装置１０Ａに対し、区間１に含まれる中継装置４０Ａへコマンド信号を送信するように指示する。そして、中継装置監視部２４は、区間１に含まれる中継装置４０Ａからの応答信号を受信した局装置１０Ａにより障害発生と判定された中継装置４０Ａに関する情報を、局装置１０Ａから受信する。そして、中継装置監視部２４は、局装置１０Ａから受信した、障害発生と判定された中継装置４０Ａに関する情報を、出力部２０ａから出力する。
【００５７】
なお、区間２（図１Ａ及び図１Ｂ参照）のように、該当区間に最も近い局装置１０が、局装置１０Ａ〜１０Ｃと複数存在する場合には、局装置１０Ａ〜１０Ｃのいずれか１つの局装置１０に対し、該当区間の中継装置４０へコマンド信号を送信することを指示する。
【００５８】
（中継装置について）
図５は、実施例に係る中継装置の一例を示すブロック図である。中継装置４０は、第１及び第２の隣接ノードと接続される。隣接ノードは、局装置１０、ＢＵ３０、他の中継装置４０、ＧＥＱのいずれかである。
【００５９】
中継装置４０は、受信部４１、デコード部４２、生成部４３、ＬＤ（Laser  Diode）４４、ＥＤＦ（Erbium  Doped  Fiber）４５〜４６を含む。受信部４１は、第１の隣接ノードから入力され、ＥＤＦ４５へ入力される以前に主信号から分岐された信号を受信する。受信部４１は、受信した信号をデコード部４２へ出力する。なお、第１の隣接ノードから入力された主信号は、ＥＤＦ４５による光−光変換により増幅され、第２の隣接ノードへ出力される。
【００６０】
デコード部４２は、受信部４１から出力された信号をデコードし、コマンド信号が含まれる場合にコマンド信号を抽出する。そして、デコード部４２は、抽出したコマンド信号が自身宛のコマンド信号である場合、生成部４３へ自身宛のコマンド信号を受信したことを通知する。なお、デコード部４２は、受信部４１から出力された信号にコマンド信号が含まれない場合又は抽出したコマンド信号が自身宛のコマンド信号でない場合、生成部４３への通知は行わない。
【００６１】
生成部４３は、デコード部４２からの通知を受け、自身の中継装置４０の電圧、温度等のパラメータを含む応答信号を生成する。そして、生成部４３は、生成した応答信号をＬＤ４４へ出力する。ＬＤ４４は、生成部４３から出力された応答信号を光増幅してＥＤＦ４５へ出力する。ＥＤＦ４５は、ＬＤ４４から出力された応答信号を主信号へ重畳するとともに、主信号を光−光変換により増幅して第２の隣接ノードへ出力する。
【００６２】
また、受信部４１は、第２の隣接ノードから入力され、ＥＤＦ４６へ入力される以前に主信号から分岐された信号を受信する。受信部４１は、受信した信号をデコード部４２へ出力する。なお、第２の隣接ノードから入力された主信号は、ＥＤＦ４６による光−光変換により増幅され、第１の隣接ノードへ出力される。
【００６３】
そして、デコード部４２、生成部４３による上述の処理を経た応答信号が、ＬＤ４４へ出力される。ＬＤ４４は、生成部４３から出力された応答信号を光増幅してＥＤＦ４６へ出力する。ＥＤＦ４６は、ＬＤ４４から出力された応答信号を主信号へ重畳するとともに、主信号を光−光変換により増幅して第１の隣接ノードへ出力する。
【００６４】
（区間監視処理について）
図６Ａ及び図６Ｂは、実施例に係る監視処理の一例を示すシーケンス図である。先ず、図６Ａにおいて、ＮＯＣ装置２０は、局装置１０Ａ〜１０Ｅへ、監視開始指示を送信する（ステップＳ１１）。次に、ＮＯＣ装置２０から監視開始指示を受信した局装置１０Ａ〜１０Ｅは、それぞれに割り当てられた周波数ｆＡ〜ｆＥの監視信号を主信号に重畳し、自身とは異なる他の局装置１０Ａ〜１０Ｅへそれぞれ送信する（ステップＳ１２ａ〜１２ｅ）。
【００６５】
そして、局装置１０Ａは、他の局装置１０Ｂ〜１０Ｅから、それぞれ周波数ｆＢ〜ｆＥの監視信号を受信する処理を行う（ステップＳ１３ａ）。具体的には、局装置１０Ａは、他の局装置１０Ｂ〜１０Ｅから受信した受信信号から、他の局装置１０Ｂ〜１０Ｅそれぞれに割り当てられた周波数ｆＢ〜ｆＥの監視信号を抽出する。そして、局装置１０Ａは、周波数ｆＢ〜ｆＥの監視信号のうち、いずれを受信し、いずれを受信できなかったかの監視信号受信結果を、ＮＯＣ装置２０へ送信する（ステップＳ１４ａ）。監視信号受信結果は、例えば、局装置１０Ａが周波数ｆＢ〜ｆＥのいずれの監視信号も受信できなかった場合、局装置Ｂ（ｆＢ）→×、局装置Ｃ（ｆＣ）→×、局装置Ｄ（ｆＤ）→×、局装置Ｅ（ｆＥ）→×の情報となる。ＮＯＣ装置２０は、例えば、局装置Ｂ（ｆＢ）→×、局装置Ｃ（ｆＣ）→×、局装置Ｄ（ｆＤ）→×、局装置Ｅ（ｆＥ）→×の監視信号受信結果を受信すると、局装置Ａマトリックス２１ａ（図４Ａ参照）から障害発生区間が区間１であると判定できる。
【００６６】
同様に、局装置１０Ｂは、他の局装置１０Ａ、１０Ｃ〜１０Ｅから、それぞれ周波数ｆＡ、ｆＣ〜ｆＥの監視信号を受信する処理を行う（ステップＳ１３ｂ）。具体的には、局装置１０Ｂは、他の局装置１０Ａ、１０Ｃ〜１０Ｅから受信した受信信号から、他の局装置１０Ａ、１０Ｃ〜１０Ｅそれぞれに割り当てられた周波数ｆＡ、ｆＣ〜ｆＥの監視信号を抽出する。そして、局装置１０Ｂは、周波数ｆＡ、ｆＣ〜ｆＥの監視信号のうち、いずれを受信し、いずれを受信できなかったかの監視信号受信結果を、ＮＯＣ装置２０へ送信する（ステップＳ１４ｂ）。監視信号受信結果は、例えば、局装置１０Ｂが周波数ｆＡの監視信号を受信できず、周波数ｆＣ〜ｆＥの監視信号を受信した場合、局装置Ａ（ｆＡ）→×、局装置Ｃ（ｆＣ）→○、局装置Ｄ（ｆＤ）→○、局装置Ｅ（ｆＥ）→○の情報となる。ＮＯＣ装置２０は、例えば、局装置Ａ（ｆＡ）→×、局装置Ｃ（ｆＣ）→○、局装置Ｄ（ｆＤ）→○、局装置Ｅ（ｆＥ）→○の監視信号受信結果を受信すると、局装置Ｂマトリックス２１ｂ（図４Ｂ参照）から障害発生区間が区間１であると判定できる。
【００６７】
同様に、局装置１０Ｃは、他の局装置１０Ａ〜１０Ｂ、１０Ｄ〜１０Ｅから、それぞれ周波数ｆＡ〜ｆＢ、ｆＤ〜ｆＥの監視信号を受信する処理を行う（ステップＳ１３ｃ）。具体的には、局装置１０Ｃは、他の局装置１０Ａ〜１０Ｂ、１０Ｄ〜１０Ｅから受信した受信信号から、他の局装置１０Ａ〜１０Ｂ、１０Ｄ〜１０Ｅそれぞれに割り当てられた周波数ｆＡ〜ｆＢ、ｆＤ〜ｆＥの監視信号を抽出する。そして、局装置１０Ｃは、周波数ｆＡ〜ｆＢ、ｆＤ〜ｆＥの監視信号のうち、いずれを受信し、いずれを受信できなかったかの監視信号受信結果を、ＮＯＣ装置２０へ送信する（ステップＳ１４ｃ）。監視信号受信結果は、例えば、局装置１０Ｃが周波数ｆＡの監視信号を受信できず、周波数ｆＢ、ｆＤ〜ｆＥの監視信号を受信した場合、局装置Ａ（ｆＡ）→×、局装置Ｂ（ｆＢ）→○、局装置Ｄ（ｆＤ）→○、局装置Ｅ（ｆＥ）→○の情報となる。ＮＯＣ装置２０は、例えば、局装置Ａ（ｆＡ）→×、局装置Ｂ（ｆＢ）→○、局装置Ｄ（ｆＤ）→○、局装置Ｅ（ｆＥ）→○の監視信号受信結果を受信すると、局装置Ｃマトリックス２１ｃ（図４Ｃ参照）から障害発生区間が区間１であると判定できる。
【００６８】
同様に、局装置１０Ｄは、他の局装置１０Ａ〜１０Ｃ、１０Ｅから、それぞれ周波数ｆＡ〜ｆＣ、ｆＥの監視信号を受信する処理を行う（ステップＳ１３ｄ）。具体的には、局装置１０Ｄは、他の局装置１０Ａ〜１０Ｃ、１０Ｅから受信した受信信号から、他の局装置１０Ａ〜１０Ｃ、１０Ｅそれぞれに割り当てられた周波数ｆＡ〜ｆＣ、ｆＥの監視信号を抽出する。そして、局装置１０Ｄは、周波数ｆＡ〜ｆＣ、ｆＥの監視信号のうち、いずれを受信し、いずれを受信できなかったかの監視信号受信結果を、ＮＯＣ装置２０へ送信する（ステップＳ１４ｄ）。監視信号受信結果は、例えば、局装置１０Ｄが周波数ｆＡの監視信号を受信できず、周波数ｆＢ〜ｆＣ、ｆＥの監視信号を受信した場合、局装置Ａ（ｆＡ）→×、局装置Ｂ（ｆＢ）→○、局装置Ｃ（ｆＣ）→○、局装置Ｅ（ｆＥ）→○の情報となる。ＮＯＣ装置２０は、例えば、局装置Ａ（ｆＡ）→×、局装置Ｂ（ｆＢ）→○、局装置Ｃ（ｆＣ）→○、局装置Ｅ（ｆＥ）→○の監視信号受信結果を受信すると、局装置Ｄマトリックス２１ｄ（図４Ｄ参照）から障害発生区間が区間１であると判定できる。
【００６９】
同様に、局装置１０Ｅは、他の局装置１０Ａ〜１０Ｄから、それぞれ周波数ｆＡ〜ｆＤの監視信号を受信する処理を行う（ステップＳ１３ｅ）。具体的には、局装置１０Ｅは、他の局装置１０Ａ〜１０Ｄから受信した受信信号から、他の局装置１０Ａ〜１０Ｄそれぞれに割り当てられた周波数ｆＡ〜ｆＤの監視信号を抽出する。そして、局装置１０Ｅは、周波数ｆＡ〜ｆＤの監視信号のうち、いずれを受信し、いずれを受信できなかったかの監視信号受信結果を、ＮＯＣ装置２０へ送信する（ステップＳ１４ｅ）。監視信号受信結果は、例えば、局装置１０Ｅが周波数ｆＡの監視信号を受信できず、周波数ｆＢ〜ｆＤの監視信号を受信した場合、局装置Ａ（ｆＡ）→×、局装置Ｂ（ｆＢ）→○、局装置Ｃ（ｆＣ）→○、局装置Ｄ（ｆＤ）→○の情報となる。ＮＯＣ装置２０は、例えば、局装置Ａ（ｆＡ）→×、局装置Ｂ（ｆＢ）→○、局装置Ｃ（ｆＣ）→○、局装置Ｄ（ｆＤ）→○の監視信号受信結果を受信すると、局装置Ｅマトリックス２１ｅ（図４Ｅ参照）から障害発生区間が区間１であると判定できる。
【００７０】
次に、図６Ｂにおいて、ＮＯＣ装置２０は、図６ＡのステップＳ１４ａ〜１４ｅで局装置１０Ａ〜１０Ｅから受信した監視信号受信結果をもとに、障害発生区間の判定処理を行う（ステップＳ１５）。次に、ＮＯＣ装置２０は、ステップＳ１５の障害発生区間の判定処理から障害発生区間があるか否かを判定する（ステップＳ１６）。ＮＯＣ装置２０は、障害発生区間があると判定した場合（ステップＳ１６：Ｙｅｓ）、ステップＳ１７へ処理を移す。一方、ＮＯＣ装置２０は、障害発生区間がないと判定した場合（ステップＳ１６：Ｎｏ）、ステップＳ２１へ処理を移す。
【００７１】
ステップＳ１７では、ＮＯＣ装置２０は、ステップＳ１５で判定した障害発生区間の最寄りの局装置１０へコマンド信号送信指示を送信する。次に、ＮＯＣ装置２０は、コマンド信号に応じて中継装置４０から受信した各種パラメータを含む応答信号に基づき局装置１０が判定した中継装置４０又は中継装置４０間における障害に関する障害情報を受信する（ステップＳ１８）。次に、ＮＯＣ装置２０は、ステップＳ１８で受信した、いずれの区間のいずれの機器において障害が発生したかを示す障害情報から障害発生箇所を検出する（ステップＳ１９）。次に、ＮＯＣ装置２０は、ステップＳ１９で検出した障害発生箇所を、出力部２０ａ（図３参照）から出力して報知する（ステップＳ２０）。
【００７２】
次に、ステップＳ２１では、ＮＯＣ装置２０は、監視終了か否かを判定する。ＮＯＣ装置２０は、監視終了する場合（ステップＳ２１：Ｙｅｓ）、監視処理を終了する。一方、ＮＯＣ装置２０は、監視終了しない場合（ステップＳ２１：Ｎｏ）、局装置１０Ａ〜１０Ｅから監視信号受信結果の受信待ち受け状態へ処理を移す。なお、ＮＯＣ装置２０は、監視終了しない場合（ステップＳ２１：Ｎｏ）、ステップＳ１１へ処理を移し、再度、局装置１０Ａ〜１０Ｅへ、監視開始指示を送信するとしてもよい。すなわち、局装置１０Ａ〜１０Ｅは、ＮＯＣ装置２０からの指示毎に、それぞれに割り当てられた周波数ｆＡ〜ｆＥの監視信号を主信号に重畳し、自身とは異なる他の局装置１０Ａ〜１０Ｅへそれぞれ送信するステップＳ１２ａ〜１２ｅの処理を行うとしてもよい。
【００７３】
なお、ステップＳ１２ａ〜Ｓ１４ｅは、ステップＳ１２ａ→Ｓ１３ａ→Ｓ１４ａ、Ｓ１２ｂ→Ｓ１３ｂ→Ｓ１４ｂ、Ｓ１２ｃ→Ｓ１３ｃ→Ｓ１４ｃ、Ｓ１２ｄ→Ｓ１３ｄ→Ｓ１４ｄ、Ｓ１２ｅ→Ｓ１３ｅ→Ｓ１４ｅの各順序以外は、処理順序が前後してもよい。
【００７４】
（障害発生区間判定処理の例）
図７Ａは、実施例に係る障害発生区間判定処理の概要の一例（その１）を示す図である。図７Ａは、トランクライン２において障害が発生した場合を示す（図７Ａ中の×）。先ず、局装置１０Ａ〜１０Ｅは、他の局装置１０との通信状況を確認する。その結果、局装置１０Ａは局装置１０Ｂ及び１０Ｃと、局装置１０Ｂは局装置１０Ａ及び１０Ｃと、局装置１０Ｃは局装置１０Ａ及び１０Ｂと、局装置１０Ｄは局装置１０Ｅと、局装置１０Ｅは局装置１０Ｄとそれぞれ通信可能であることが判明する。そして、局装置１０Ａ〜１０Ｅは、ＮＯＣ装置２０（図１Ａ及び図１Ｂ参照）へ通信可能状況を送信する。
【００７５】
ＮＯＣ装置２０は、局装置１０Ａ〜１０Ｅそれぞれの通信可能状況と、局装置Ａマトリックス２１ａ〜局装置Ｅマトリックス２１ｅとをそれぞれ比較し、障害発生区間が区間３であると判定する。そして、ＮＯＣ装置２０は、区間３の最寄りの局装置１０、例えば局装置１０Ｅに区間３の中継装置４０の１つ１つへコマンド信号を送信させ、詳細な障害発生箇所を特定させる。
【００７６】
また、図７Ｂは、実施例に係る障害発生区間判定処理の概要の一例（その２）を示す図である。図７Ｂは、ブランチライン３Ｄにおいて障害が発生した場合を示す（図７Ｂ中の×）。先ず、局装置１０Ａ〜１０Ｅは、他の局装置１０との通信状況を確認する。その結果、局装置１０Ａは局装置１０Ｂ、１０Ｃ及び１０Ｅと、局装置１０Ｂは局装置１０Ａ、１０Ｃ及び１０Ｅと、局装置１０Ｃは局装置１０Ａ、１０Ｂ及び１０Ｅと、局装置１０Ｅは局装置１０Ａ〜１０Ｃとそれぞれ通信可能であることが判明する。また、局装置１０Ｄはいずれの局装置１０とも通信不能であることが判明する。そして、局装置１０Ａ〜１０Ｅは、ＮＯＣ装置２０（図１Ａ及び図１Ｂ参照）へ通信可能状況を送信する。
【００７７】
ＮＯＣ装置２０は、局装置１０Ａ〜１０Ｅそれぞれの通信可能状況と、局装置Ａマトリックス２１ａ〜局装置Ｅマトリックス２１ｅとをそれぞれ比較し、障害発生区間が区間７であると判定する。そして、ＮＯＣ装置２０は、区間７の最寄りの局装置１０、例えば局装置１０Ｄに区間７の中継装置４０の１つ１つへコマンド信号を送信させ、詳細な障害発生箇所を特定させる。
【００７８】
（障害発生箇所検出処理の例）
図８は、実施例に係る障害発生箇所検出処理の概要の一例を示す図である。光ネットワークシステム１における障害発生箇所検出処理は、局装置１０より各中継装置４０へコマンド信号を送信し、応答信号の有無により行われる。中継装置４０へ送信するコマンド信号は、主信号をＡＭ（Amplitude  Modulation）変調することにより行われるが、変調周波数は全ての中継装置４０に対して同一周波数が用いられるため、同時に行うことができない。このため、光ネットワークシステム１において通信障害が発生した場合、いずれか１つの局装置１０に各中継装置４０へコマンド信号を送信させることになる。
【００７９】
例えば、図８に示すように、区間７で障害が発生した場合、区間７で障害が発生したことを障害発生区間判定処理で予め把握していれば、最寄りの局装置１０Ｅに各中継装置４０へコマンド信号を送信させる。これにより、より迅速に障害発生箇所検出を行うことができる。
【００８０】
他方、従来の障害検出方法によれば、区間７で障害が発生した場合、区間７で障害が発生したことが予め把握できておらず、局装置１０Ａに各中継装置４０へコマンド信号を送信させる。このようにして障害発生箇所検出を行うと、より多くの中継装置４０へコマンド信号を送信して応答信号を受信するということを繰り返した後に区間７の中継装置４０へコマンド信号を送達させるため、迅速に障害発生箇所検出を行うことができない。
【００８１】
また、従来の障害検出方法によれば、通信を行う局装置１０間の全波長の信号断が起こった場合を障害発生としている。ここで、図８では、局装置１０Ａ、１０Ｂ及び１０Ｅは、波長λ１及びλ２の信号で通信を行うとする。また、図８では、局装置１０Ａ、１０Ｃ及び１０Ｅは、波長λ３〜λ５の信号で通信を行うとする。また、図８では、局装置１０Ａ、１０Ｄ及び１０Ｅは、波長λ６の信号で通信を行うとする。また、図８では、局装置１０Ａ及び１０Ｅは、波長λ７の信号で通信を行うとする。
【００８２】
この場合において、従来の障害検出方法によれば、区間７で障害が発生した際、局装置１０Ｄとの波長λ６の通信と、局装置１０Ｄとの波長λ７の通信との信号断が発生する。すなわち、局装置１０Ａは、波長λ６及びλ７に通信については、局装置１０間の全波長の信号断が起こったため、障害発生したと認識する。しかし、例えば、局装置１０Ａは、波長λ３の通信のみが信号断した場合は、局装置１０Ｃとの通信は波長λ４及びλ５が通信可能であるため、局装置１０間の全波長の信号断ではないため障害発生したと認識しない。
【００８３】
そして、中継装置４０の出力パワーは、障害で信号の波長数が減少しても、常に一定値になるよう制御される。そのため、障害で信号の波長数が減少すると、減少した波長数分の信号パワーが残存する波長の信号パワーへ割り当てられるため、残存する波長の信号パワーが上昇する。このため、ファイバ非線形効果等によって伝送ペナルティが増大し、残存している波長の回線も切断する場合がある。よって、障害発生箇所検出にさらに時間を要することになる。
【００８４】
例えば、図８に示すように、区間７で障害が発生した場合、局装置１０Ｅが受信する波長数は波長λ６の１波長となる。そして、減少した波長λ１〜５、λ７の信号パワーが、波長λ６の信号パワーへ割り当てられるため、波長λ６の信号パワーは、障害発生前に比べて７倍にもなり、その結果、波長λ６の信号も回線断してしまう場合がある。よって、局装置１０Ｅは、トランクライン２上の自身に最も近い付近で障害が発生したと誤認する。このため、局装置１０Ｅは、自身に近い中継装置４０から順次状態確認を行うことになり、障害発生箇所検出に時間を要すことになる。
【００８５】
また、光ネットワークシステム１は、システム建設コストを低減するために、ＯＡＤＭ（Optical  Add  Drop  Multiplexer）構成を採用する。ＯＡＤＭにより波長単位で分岐を行うことにより、ネットワークトポロジを柔軟に構成できる。他方、光ネットワークシステム１は、ＯＡＤＭを採用することで、様々な組織や機関の信号を１本の光ファイバケーブルに集約する。しかし、光ネットワークシステム１において、自組織や自機関の通信システム以外の他組織や他機関の通信システムを監視することはできない。よって、従来の障害検出方法は、光ネットワークシステム１において、他組織や他機関の通信システムのアップグレードが行われても、他組織や他機関の通信システムの回線状態まで監視できないので、全回線断による障害発生箇所検出がタイムリーにできない。従来の障害検出方法によれば、通信システムを管理する個々の組織や機関が人的に認識するまで、障害発生箇所検出は行われない。
【００８６】
このように、従来の障害検出方法は、迅速な障害発生箇所検出を自動で行えない。一方、実施例は、迅速な障害発生箇所検出を自動で行うことができる。
【００８７】
（実施例の適用例）
図９は、実施例の適用例を示す図である。実施例の光ネットワークシステム１は、光海底システムに適用できる。光海底システムは、光ファイバを伝送媒体としたケーブルを海底地形に沿って施設し、陸上の局装置間を結び通信を行うシステムである。光海底システムは、大容量通信を行うため、異なる波長を約８０波束ねて１本の光ファイバで送信を行う。
【００８８】
光海底システムは、数千〜１万ｋｍ以上の伝送路上で適切な間隔で光増幅を繰り返しながら長距離伝送を行う。光海底システムは、システム寿命が約２５年で高信頼性が求められる。また、光海底システムは、設備の新規建設や障害発生時の設備修理に多くの時間及び費用がかかる。また、光海底システムは、多用な通信の伝送路が１本の光ファイバケーブルに集約されており、障害発生時の社会的影響が大きい。
【００８９】
図９に示す局装置１０Ａ〜１０Ｅは、陸揚げ局と呼ばれる。局装置１０Ａは、ＳＩＥ（SDH（Synchronous  Digital  Hierarchy）  Interconnection  Equipment）／ＮＰＥ（Network  Protection  Equipment）１０１Ａを含む。また、局装置１０Ａは、１０Ｇ＿ＷＤＭ＿ＳＬＴＥ１０２Ａを含む。また、局装置１０Ａは、１００Ｇ＿ＷＤＭ＿ＳＬＴＥ１０３Ａを含む。また、局装置１０Ａは、ＰＦＥ（Power  Feed  Equipment）１０４Ａを含む。また、局装置１０Ａは、ＣＴＢ（Cable  Terminate  Box）１０５Ａを含む。また、局装置１０Ａは、ＮＭＳ（Network  Management  System）１０６Ａを含む。また、局装置１０Ａは、ＳＳＥ１０７Ａを含む。同様に、局装置１０Ｅは、ＳＩＥ／ＮＰＥ１０１Ｅ、１０Ｇ＿ＷＤＭ＿ＳＬＴＥ１０２Ｅ、１００Ｇ＿ＷＤＭ＿ＳＬＴＥ１０３Ｅ、ＰＦＥ１０４Ｅ、ＣＴＢ１０５Ｅ、ＮＭＳ１０６Ｅ、ＳＳＥ１０７Ｅを含む。なお、図示は省略しているが、局装置１０Ｂ〜１０Ｄも、局装置１０Ａ及び１０Ｅと同様の構成である。
【００９０】
ＳＩＥ／ＮＰＥ１０１Ａは、局装置１０Ａ内の１０Ｇ＿ＷＤＭ＿ＳＬＴＥ１０２Ａ及び１００Ｇ＿ＷＤＭ＿ＳＬＴＥ１０３Ａと、バックホールであるＳＯＮＥＴ（Synchronous  Optical  Network）／ＳＤＨ網とを接続する。
【００９１】
１０Ｇ＿ＷＤＭ＿ＳＬＴＥ１０２Ａは、バックホールからＳＩＥ／ＮＰＥ１０１Ａを介した信号を合波した１０Ｇｂｐｓの主信号をトランクライン２へ送出する。また、１０Ｇ＿ＷＤＭ＿ＳＬＴＥ１０２Ａは、トランクライン２からの１０Ｇｂｐｓの主信号を分離したバックホールへの信号をＳＩＥ／ＮＰＥ１０１Ａへ出力する。
【００９２】
１００Ｇ＿ＷＤＭ＿ＳＬＴＥ１０３Ａは、バックホールからＳＩＥ／ＮＰＥ１０１Ａを介した信号を合波した１００Ｇｂｐｓの主信号をトランクライン２へ送出する。また、１００Ｇ＿ＷＤＭ＿ＳＬＴＥ１０３Ａは、トランクライン２からの１００Ｇｂｐｓの主信号を分離したバックホールへの信号をＳＩＥ／ＮＰＥ１０１Ａへ出力する。
【００９３】
なお、近年、１０Ｇｂｐｓ信号で最適化された既存システムへの１００Ｇｂｐｓ信号へのアップグレードが主流となっている。すなわち、海中の機器は変更せず、局装置１０において構成を追加して既存システムと共存するような形態とする。つまり、例えば局装置１０Ａは、既に運用されている１０Ｇ＿ＷＤＭ＿ＳＬＴＥ１０２Ａに、新たに１００Ｇ＿ＷＤＭ＿ＳＬＴＥ１０３Ａを追加し、既存波長に新波長を増設した構成である。
【００９４】
ＰＦＥ１０４Ａは、局装置１０Ａ内の各構成へ電力を供給するとともに、トランクライン２を介してトランクライン２上のＢＵ３０及び中継装置４０等の海中の機器へ電力を供給する。ＣＴＢ１０５Ａは、トランクライン２を終端する。ＮＭＳ１０６Ａは、光ネットワークシステム１の状態監視を行う。ＳＳＥ１０７Ａは、光ネットワークシステム１のシステム情報の監視を行う。
【００９５】
実施例は、局装置１０Ａ内のＳＳＥ１０６Ａ及び既存の１０Ｇ＿ＷＤＭ＿ＳＬＴＥ１０２Ａと、ＮＯＣ装置２０（図１Ａ〜図３参照）とに適用できる。また、実施例は、局装置１０Ｂ〜１０Ｅについても、局装置１０Ａと同様に適用できる。よって、実施例は、局装置１０Ａ〜１０Ｅが１００Ｇｂｐｓ信号へアップグレードされているか否かに関わらず、適用可能である。
【００９６】
（実施例による効果）
実施例は、障害が発生した障害発生区間を予め把握した後に、障害発生区間の最寄りの局装置１０に中継装置４０へコマンド信号を送信させるため、より迅速に障害発生箇所検出を行うことができる。例えば、実施例は、障害発生箇所検出に要する時間を最大で１／（２ｎ−３）（ｎは、光ネットワークシステム１が含む局装置１０の数）倍に短縮することができる場合がある。
【００９７】
また、実施例は、障害が発生した場合、光ネットワークシステム１全体の光パワーのバランスが崩れ、回線断してない区間でも二次的に回線断してしまった場合でも、障害発生箇所検出を行うことができる。
【００９８】
また、光ネットワークシステム１において、他組織や他機関の通信システムのアップグレードが行われた場合であっても、アップグレードに左右されることなく障害発生箇所検出を行うことができる。
【００９９】
［その他の実施例］
（１）ネットワークについて
実施例では、光ネットワークシステム１のネットワークトポロジは、対岸上にそれぞれ局装置を配置して光海底ケーブルで接続し、光海底ケーブルから分岐したケーブルそれぞれの端点の陸上に局装置が配置されるフィッシュボーン型である。しかし、開示技術は、フィッシュボーン型に限らず、Point  to  Point型、Ring型、Festoon型等のその他のネットワークトポロジであっても適用できる。また、開示技術は、フィッシュボーン型、Point  to  Point型、Ring型、Festoon型等を組合せた光ネットワークに対しても適用できる。
【０１００】
なお、Point  to  Point型は、対岸上にそれぞれ局装置を配置して海底ケーブルで接続したネットワークトポロジである。また、Ring型は、対岸上にそれぞれ局装置を配置して海底ケーブルで接続した２組のPoint  to  Point型ネットワークにおいて、同一側の陸上に配置された局装置をさらに海底ケーブルで接続したネットワークトポロジである。また、Festoon型は、同一側の陸上に配置された局装置を海底ケーブルで直列に接続したネットワークトポロジである。
【０１０１】
また、開示技術の光通信システムは、光海底ケーブル通信システムに限らず、光通信網一般に広く適用できる。
【０１０２】
（２）監視信号の周波数について
監視信号の周波数ｆｘは、例えば、主信号よりも周波数が低い、所定周波数以下の低周波であってもよい。監視信号の周波数ｆｘが低周波である場合には、監視信号に中継装置４０等を容易に通過させ、主信号やトランクライン２及びブランチライン３Ｂ〜３Ｄの回線等に起因するノイズを低減できる。
【０１０３】
（３）コマンド信号の送信宛先について
実施例では、状態監視を行うコマンド信号の送信宛先は、中継装置４０Ａ〜４０Ｄである。そして、中継装置４０Ａ〜４０Ｄは、コマンド信号に対する応答信号として、自身の状態に関するパラメータを送信する。しかし、開示技術は、トランクライン２上に配置されるＢＵ３０Ｂ〜３０ＤやＧＥＱも、中継装置４０Ａ〜４０Ｄと同様の機能を有し、自身を宛先として送信されたコマンド信号に対する応答信号として、自身の状態に関するパラメータを送信するとしてもよい。これにより、各区間においていずれの機器又はケーブル区間が障害発生の要因であるかを、より正確に切り分けることができる。
【０１０４】
（４）局装置検出マトリックスについて
実施例は、ＮＯＣ装置２０が局装置Ａマトリックス２１ａ〜局装置Ｅマトリックス２１ｅを有し、障害発生区間の判定を行うとした。しかし、開示技術は、これに限られず、局装置１０Ａ〜１０Ｅが、局装置Ａマトリックス２１ａ〜局装置Ｅマトリックス２１ｅのそれぞれを有し、障害発生区間の判定を行い、判定結果をＮＯＣ装置２０へ送信するとしてもよい。この場合、ＮＯＣ装置２０は、局装置１０Ａ〜１０Ｅから受信した各判定結果から総合的に判定して、障害発生区間を検出する。
【０１０５】
以上の実施例において図示した各装置の各構成要素は、必ずしも物理的に図示のように構成されていることを要しない。すなわち、各部の分散及び／又は統合の具体的形態は図示のものに限られず、その全部又は一部を、各種の負荷や使用状況等に応じて、任意の単位で機能的又は物理的に分散・統合して構成することができる。
【０１０６】
また、各装置で行われる各種処理機能は、ＣＰＵ（Central  Processing  Unit）上で、その全部又は任意の一部を実行するようにしてもよい。または、各装置で行われる各種処理機能は、ＮＰ、ＭＰＵ、ＭＣＵ、ＡＳＩＣ、ＦＰＧＡ等のマイクロコンピュータ上で、その全部又は任意の一部を実行するようにしてもよい。ここで、ＮＰはNetwork  Processorであり、ＭＰＵはMicro  Processing  Unitであり、ＭＣＵはMicro  Controller  Unitであり、ＡＳＩＣはApplication  Specific  Integrated  Circuitであり、ＦＰＧＡはField-Programmable  Gate  Arrayである。また、各種処理機能は、ＣＰＵ（またはＭＰＵ、ＭＣＵ等のマイクロコンピュータ）で解析実行するプログラム上、またはワイヤードロジックによるハードウェア上で、その全部又は任意の一部を実行するようにしてもよい。
【符号の説明】
【０１０７】
１  光ネットワークシステム
２  トランクライン
３、３Ｂ、３Ｃ、３Ｄ  ブランチライン
１０、１０Ａ、１０Ｂ、１０Ｃ、１０Ｄ、１０Ｅ  局装置
１１  監視部
１２  終端装置
１３  ＷＤＭ
１４  監視処理部
２０  ＮＯＣ装置
２１  記憶部
２１ａ  局装置Ａマトリックス
２１ｂ  局装置Ｂマトリックス
２１ｃ  局装置Ｃマトリックス
２１ｄ  局装置Ｄマトリックス
２１ｅ  局装置Ｅマトリックス
２２  区間監視部
２３  検出部
２４  中継装置監視部
３０、３０Ｂ、３０Ｃ、３０Ｄ  ＢＵ
４０、４０Ａ、４０Ｂ、４０Ｃ、４０Ｄ  中継装置
４１  受信部
４２  デコード部
４３  生成部
４４  ＬＤ
４５、４６  ＥＤＦ
【図１Ａ】
2017005384.tif 000003
【図１Ｂ】
2017005384.tif 000004
【図２】
2017005384.tif 000005
【図３】
2017005384.tif 000006
【図４Ａ】
2017005384.tif 000007
【図４Ｂ】
2017005384.tif 000008
【図４Ｃ】
2017005384.tif 000009
【図４Ｄ】
2017005384.tif 000010
【図４Ｅ】
2017005384.tif 000011
【図５】
2017005384.tif 000012
【図６Ａ】
2017005384.tif 000013
【図６Ｂ】
2017005384.tif 000014
【図７Ａ】
2017005384.tif 000015
【図７Ｂ】
2017005384.tif 000016
【図８】
2017005384.tif 000017
【図９】
2017005384.tif 000018